(57)【要約】【課題】イベント会場の最寄りの交通ターミナルの混雑予測に関する情報を適切な配信先へ配信する情報配信方法及び情報配信システムを提供する。【解決手段】イベントの開催日時、開催内容を含むイベント情報、ターミナル名称、混雑判定用情報を含むイベント会場の最寄りの交通ターミナル情報が入力されると、イベント参加見込み判定用情報とイベント情報とによりイベント参加見込み者情報を抽出すると共に、交通機関利用情報とイベント情報、及び交通ターミナル情報とによりイベント開催時のイベント会場の最寄り交通ターミナル利用見込み者情報を抽出する。そして、抽出したイベント参加見込み者情報とイベント開催時のイベント会場最寄り交通ターミナル利用見込み者情報との中から混雑予測情報を配信する利用者情報を、混雑判定用情報に基づいて選定し、選定した利用者の配信先に混雑予測情報を配信する。【選択図】      図４
2005259034.tif 000002
【特許請求の範囲】
【請求項１】
交通ターミナル設備と、情報配信装置とが接続されてイベント会場の最寄りの交通ターミナルの混雑予測情報を配信する情報配信システムでの情報配信方法において、
前記情報配信装置は、前記交通ターミナル設備から送信された交通機関利用情報を受信するステップと、
前記交通機関利用情報、イベントへの参加見込み判定用のイベント参加見込み判定用情報、及び、情報配信先を示す配信先情報を含む交通チケット所持者情報を記憶するステップと、
イベントの開催日時情報、開催内容情報を含むイベント情報と、ターミナル名称情報、混雑判定に利用する混雑判定用情報を含む前記イベント会場の最寄りの交通ターミナルに関する交通ターミナル情報とを入力するステップと、
前記交通チケット所持者情報に含まれるイベント参加見込み判定用情報、及び、前記イベント情報に含まれるイベントの開催内容情報に基づいて、前記イベントへの参加見込みがある交通チケット所持者の情報を抽出し、前記交通チケット所有者情報に含まれる交通機関利用情報、前記イベント情報に含まれるイベントの開催日時情報、開催内容情報、及び、前記交通ターミナル情報に含まれるターミナル名称情報に基づいて、前記イベントの開催日の特定時間帯に、前記イベント会場の最寄りの交通ターミナルを利用する見込みがある交通チケット所持者の情報を抽出するステップと、
前記交通ターミナル情報に含まれる混雑判定用情報に基づいて、前記イベントへの参加見込みがある交通チケット所持者の情報と、前記イベントの開催日の特定時間帯に前記イベント会場の最寄りの交通ターミナルを利用する見込みがある交通チケット所持者の情報とから混雑予測情報を配信する交通チケット所持者の情報を選定し、選定した交通チケット所持者の情報から配信先情報を取得し、取得した配信先情報に基づいて情報配信先を指定して、前記イベント会場の最寄りの交通ターミナルの混雑予測情報を配信するステップとにより情報の配信を行うことを特徴とする情報配信方法。
【請求項２】
混雑判定用情報が当該交通ターミナルの一定時間における利用者最大数であるとして、
前記イベントの参加見込みがある交通チケット所持者の数と前記イベントの開催日の特定時間帯に前記イベント会場の最寄りの交通ターミナルを利用する見込みがある交通チケット所持者の数との総和と、利用者最大数との差に相当する数の交通チケット所持者を、前記混雑予測情報を配信するチケット所持者の情報として選定することを特徴とする請求項１記載の情報配信方法。
【請求項３】
交通ターミナル設備と、情報配信装置とが接続されてイベント会場の最寄りの交通ターミナルの混雑予測情報を配信する情報配信システムにおいて、
前記情報配信装置は、前記交通ターミナル設備から送信された交通機関利用情報を受信する受信手段と、
前記交通機関利用情報、イベントへの参加見込み判定用のイベント参加見込み判定用情報、及び、情報配信先を示す配信先情報を含む交通チケット所持者情報を記憶する記憶手段と、
イベントの開催日時情報、開催内容情報を含むイベント情報と、ターミナル名称情報、混雑判定に利用する混雑判定用情報を含む前記イベント会場の最寄りの交通ターミナルに関する交通ターミナル情報とを入力する入力手段と、
前記交通チケット所持者情報に含まれるイベント参加見込み判定用情報、及び、前記イベント情報に含まれるイベントの開催内容情報に基づいて、前記イベントへの参加見込みがある交通チケット所持者の情報を抽出し、前記交通チケット所有者情報に含まれる交通機関利用情報、前記イベント情報に含まれるイベントの開催日時情報、開催内容情報、及び、前記交通ターミナル情報に含まれるターミナル名称情報に基づいて、前記イベントの開催日の特定時間帯に、前記イベント会場の最寄りの交通ターミナルを利用する見込みがある交通チケット所持者の情報を抽出する抽出手段と、
前記交通ターミナル情報に含まれる混雑判定用情報に基づいて、前記イベントへの参加見込みがある交通チケット所持者の情報と、前記イベントの開催日の特定時間帯に前記イベント会場の最寄りの交通ターミナルを利用する見込みがある交通チケット所持者の情報とから混雑予測情報を配信する交通チケット所持者の情報を選定し、選定した交通チケット所持者の情報から配信先情報を取得し、取得した配信先情報に基づいて情報配信先を指定して、前記イベント会場の最寄りの交通ターミナルの混雑予測情報を配信する配信手段とを備えたことを特徴とする情報配信システム。
【請求項４】
混雑判定用情報が当該交通ターミナルの一定時間における利用者最大数であるとして、前記イベントの参加見込みがある交通チケット所持者の数と前記イベントの開催日の特定時間帯に前記イベント会場の最寄りの交通ターミナルを利用する見込みがある交通チケット所持者の数との総和と、利用者最大数との差に相当する数の交通チケット所持者を、前記混雑予測情報を配信するチケット所持者の情報として選定することを特徴とする請求項３記載の情報配信システム。
【発明の詳細な説明】
【技術分野】
【０００１】
本発明は、情報配信方法及び情報配信システムに係り、特に、イベント会場等の最寄りの交通ターミナルの混雑予測に関する情報をユーザの配信先へ適切に配信する情報配信方法及び情報配信システムに関する。
【背景技術】
【０００２】
携帯電話やパーソナルコンピュータ等の情報端末に、交通情報を配信する情報配信システムに関する従来技術として、例えば、特許文献１等に記載された技術が知られている。
【０００３】
前述した従来技術は、情報配信先のユーザに関連のある情報だけを配信し、ユーザに必要の無い情報についての配信を行わないようにするというものであり、情報を配信する配信装置において、配信先のユーザが日常的に利用する移動経路を記憶しておき、情報配信時に、配信情報の内容と記憶した移動経路との関連の有無を調べ、関連があると判定した場合に、そのユーザに配信情報を配信するようにし、これにより、情報配信先のユーザに関連のある情報だけを配信できるようにしたものである。
【０００４】
前述したような技術以外にも、交通情報の配信に関する様々な技術が提案されているが、これらの提案されている技術は、情報の配信方法として、事前に配信装置に登録した移動経路に基づいて配信情報を送信するというものであり、前述した従来技術と同様の方法をとっているものが大半である。これまでの交通情報の配信システムは、前述したような方法で情報を必要とするユーザに対して必要な情報配信を行うという点で充分にユーザの要求を満たすことができた。
【特許文献１】特開２００３−０１６３３９号公報
【発明の開示】
【発明が解決しようとする課題】
【０００５】
しかし、交通情報として、コンサートやスポーツイベント等の大規模なイベントが開催されることによる、会場の最寄りの駅、バス停等の交通ターミナルの混雑予測情報を配信しようとする場合、前述した従来技術の配信方法は、情報を配信すべきユーザに対し情報を配信することが困難になるという問題点を有している。すなわち、これらのイベントに訪れる人は、そのイベント開催地の最寄りの交通ターミナルを日常的に利用していることが少なく、配信装置に登録した移動経路に当該交通ターミナルが含まれる可能性は低いため、多くのイベント来訪者が、混雑予測に関する情報を受けることができない。
【０００６】
本発明の目的は、前述した従来技術の問題点を解決し、イベント会場の最寄りの交通ターミナルの混雑予測に関する情報を、適切な配信先へ配信することを可能にした情報配信方法及び情報配信システムを提供することにある。
【課題を解決するための手段】
【０００７】
本発明によれば前記目的は、交通ターミナル設備と、情報配信装置とが接続されてイベント会場の最寄りの交通ターミナルの混雑予測情報を配信する情報配信システムでの情報配信方法において、前記情報配信装置が、前記交通ターミナル設備から送信された交通機関利用情報を受信するステップと、前記交通機関利用情報、イベントへの参加見込み判定用のイベント参加見込み判定用情報、及び、情報配信先を示す配信先情報を含む交通チケット所持者情報を記憶するステップと、イベントの開催日時情報、開催内容情報を含むイベント情報と、ターミナル名称情報、混雑判定に利用する混雑判定用情報を含む前記イベント会場の最寄りの交通ターミナルに関する交通ターミナル情報とを入力するステップと、前記交通チケット所持者情報に含まれるイベント参加見込み判定用情報、及び、前記イベント情報に含まれるイベントの開催内容情報に基づいて、前記イベントへの参加見込みがある交通チケット所持者の情報を抽出し、前記交通チケット所有者情報に含まれる交通機関利用情報、前記イベント情報に含まれるイベントの開催日時情報、開催内容情報、及び、前記交通ターミナル情報に含まれるターミナル名称情報に基づいて、前記イベントの開催日の特定時間帯に、前記イベント会場の最寄りの交通ターミナルを利用する見込みがある交通チケット所持者の情報を抽出するステップと、前記交通ターミナル情報に含まれる混雑判定用情報に基づいて、前記イベントへの参加見込みがある交通チケット所持者の情報と、前記イベントの開催日の特定時間帯に前記イベント会場の最寄りの交通ターミナルを利用する見込みがある交通チケット所持者の情報とから混雑予測情報を配信する交通チケット所持者の情報を選定し、選定した交通チケット所持者の情報から配信先情報を取得し、取得した配信先情報に基づいて情報配信先を指定して、前記イベント会場の最寄りの交通ターミナルの混雑予測情報を配信するステップとにより情報の配信を行うことにより達成される。
【０００８】
また、前記目的は、交通ターミナル設備と、情報配信装置とが接続されてイベント会場の最寄りの交通ターミナルの混雑予測情報を配信する情報配信システムにおいて、
前記情報配信装置が、前記交通ターミナル設備から送信された交通機関利用情報を受信する受信手段と、前記交通機関利用情報、イベントへの参加見込み判定用のイベント参加見込み判定用情報、及び、情報配信先を示す配信先情報を含む交通チケット所持者情報を記憶する記憶手段と、イベントの開催日時情報、開催内容情報を含むイベント情報と、ターミナル名称情報、混雑判定に利用する混雑判定用情報を含む前記イベント会場の最寄りの交通ターミナルに関する交通ターミナル情報とを入力する入力手段と、前記交通チケット所持者情報に含まれるイベント参加見込み判定用情報、及び、前記イベント情報に含まれるイベントの開催内容情報に基づいて、前記イベントへの参加見込みがある交通チケット所持者の情報を抽出し、前記交通チケット所有者情報に含まれる交通機関利用情報、前記イベント情報に含まれるイベントの開催日時情報、開催内容情報、及び、前記交通ターミナル情報に含まれるターミナル名称情報に基づいて、前記イベントの開催日の特定時間帯に、前記イベント会場の最寄りの交通ターミナルを利用する見込みがある交通チケット所持者の情報を抽出する抽出手段と、前記交通ターミナル情報に含まれる混雑判定用情報に基づいて、前記イベントへの参加見込みがある交通チケット所持者の情報と、前記イベントの開催日の特定時間帯に前記イベント会場の最寄りの交通ターミナルを利用する見込みがある交通チケット所持者の情報とから混雑予測情報を配信する交通チケット所持者の情報を選定し、選定した交通チケット所持者の情報から配信先情報を取得し、取得した配信先情報に基づいて情報配信先を指定して、前記イベント会場の最寄りの交通ターミナルの混雑予測情報を配信する配信手段とを備えたことにより達成される。
【発明の効果】
【０００９】
本発明によれば、イベント会場の最寄りの交通ターミナルの混雑予測に関する情報を適切な配信先へ配信することができ、イベント参加見込み者及びイベント会場の最寄り交通ターミナル利用見込み者が、事前にイベント会場最寄り交通ターミナルの混雑予測を知ることができるので、混雑を避けてイベント会場の最寄り交通ターミナルを利用するようにすることが可能となる。
【発明を実施するための最良の形態】
【００１０】
以下、本発明による情報配信方法及び情報配信システムの実施形態を図面により詳細に説明する。
【００１１】
図１は本発明の一実施形態による情報配信システムの構成の概要を示すブロック図である。ここで説明する情報配信システムは、イベント会場の最寄りの交通ターミナルの混雑予測に関する情報を配信するシステムである。図１において、１は情報配信装置、２は情報端末、３は交通チケット発券機、４は改札機、５、６はネットワーク、７はイベントチケット販売サーバである。
【００１２】
混雑予測に関する情報を配信するシステムは、情報配信装置１と、交通チケット発券機３、改札機４、イベントチケット販売サーバ７とがネットワーク６に接続されて構成され、また、ユーザが持つ情報端末２がネットワーク５を介して情報配信装置１と接続されている。情報配信装置１は、サーバ用コンピュータにより構成されており、移動体通信網やインターネット等のネットワーク５を経由して情報端末２と通信を行うことが可能であり、また、専用線網等のネットワーク６を経由して交通チケット発券機３、改札機４等の交通ターミナル設備とイベントのチケットを販売するイベントチケット販売サーバ７と通信を行うことが可能である。情報端末２は、情報配信装置１から情報の配信を受ける交通チケットを所持するユーザの端末であり、具体的には、携帯電話や通信機能を有するＰＤＡ（Personal Digital Assistant）、ＰＣ(Personal Computer）等であってよい。そして、本発明により情報の提供を受けようとするユーザは、予め図１に示すシステムを運用する管理者等にシステムへの参加を申し込み、情報提供のために必要となる後述で説明するような情報を提供しておく。
【００１３】
交通チケット発券機３は、交通チケットを発券する設備であり、通常、交通ターミナルの施設内に設置される。なお、ここで言う交通チケットは、交通機関利用者が一度購入したら繰り返し利用可能なカードを指しており、具体的には、交通機関の利用対価として支払い可能なプリペイドバリューを繰り返し充填して支払いを行うことができるプリペイドカードや、交通機関の利用対価を事後にまとめて精算可能なポストペイカード、定期券情報を記録した定期券カード等である。交通チケットは、情報端末に内蔵される場合もあるが、その場合の交通チケットは、交通チケット発券機３で発券されるとは限らない。交通チケット発券機３は、定期券カードを発券した場合、発行した定期券情報を交通機関利用情報として、ネットワーク６を経由して情報配信装置１へ送信する。改札機４は、交通チケットの記録内容を参照して、交通機関の利用可否を判定する設備であり、交通チケットからの情報取得や、交通チケットへの交通機関利用記録を行うと共に、当該交通チケットが改札機４を通過した際の情報を交通機関利用情報として、ネットワーク６を経由して情報配信装置１へ送信する。
【００１４】
イベントチケット販売サーバ７は、各種のイベントの開催情報として、イベントの内容、開催場所、開催日時、最寄りの交通ターミナルの名称等の情報を情報配信装置１へ送信し、また、このシステムに参加しているユーザが交通チケット番号等を提示してイベントチケットを購入した場合、そのイベントチケットの購入情報を情報配信装置１へ送信する。
【００１５】
図２は本発明の一実施形態による情報配信装置１の機能構成の例を示すブロック図である。
【００１６】
情報配信装置１は、情報受信部１１、情報記憶部１２、情報入力部１３、情報抽出部１４、情報配信部１５、ＣＰＵ（中央処理装置）１６を備えて構成されている。情報受信部１１は、ネットワーク６に接続されて通信を行い、ネットワーク６を経由して送られてくる情報を交通機関利用情報として受信する。情報記憶部１２は、情報受信部で受信した交通機関利用情報や、図示しない情報登録部により登録された交通チケット所持者のイベント参加見込み判定用情報、情報配信先を示す配信先情報を、システムに参加している交通チケット所持者毎にユーザ情報として記憶する。イベント参加見込み判定用情報とは、具体的には、ユーザの嗜好情報やイベントチケット販売サーバ７から提供されたイベントチケット購入情報等である。
【００１７】
情報入力部１３は、イベントの開催日時、開催内容を含むイベント情報、ターミナル名称、混雑判定用情報を含むイベント開催会場の最寄りの交通ターミナルに関する交通ターミナル情報を入力する。混雑判定用情報とは、例えば、当該交通ターミナルの一定時間内の最大利用者数情報等である。情報入力部１３からの情報入力は、キーボード等を備える入力端末からの入力であってもよく、あるいは、別途用意した情報処理装置からのネットワークを経由した入力、イベントチケット販売サーバ７からのネットワークを経由した入力であってもよい。
【００１８】
情報抽出部１４は、情報記憶部１２に交通チケット所持者毎に記憶されているイベント参加見込み判定用情報と、情報入力部１３から入力されたイベント情報に含まれるイベントの開催内容とに基づいて、イベント参加見込みがある交通チケット所持者を抽出する処理と、情報記憶部１２に交通チケット所持者毎に記憶されている交通機関利用情報と、情報入力部１３から入力されたイベント情報に含まれるイベントの開催日時、開催内容と、交通ターミナル情報に含まれるターミナル名称とに基づいて、イベント開催日における特定時間帯にイベント会場の最寄り交通ターミナルを利用する見込みがある交通チケット所持者（ここで抽出される交通チケット所持者は、日常的にそのターミナルを利用するユーザである）を抽出する処理を実行する。
【００１９】
具体的に説明すると、イベント参加見込みがある交通チケット所持者の抽出処理は、イベント参加見込み判定用情報がイベントチケット購入情報であり、イベント開催内容がイベントのタイトルとイベント毎に割り当てられたイベント番号のペアである場合、例えば、イベントタイトル、イベント番号で識別されるイベントのチケットを購入しているか否かを、システムに参加している全ての交通チケット所持者（ユーザ）について調べて、購入していると判定した交通チケット所持者を抽出することによって実施される。
【００２０】
また、イベント開催日における特定時間帯にイベント会場最寄り交通ターミナルを利用する見込みがある交通チケット所持者の抽出処理は、交通機関利用情報が改札機通過時の日付及び時間と当該改札機が設置されている交通ターミナルの名称とのペアであり、イベント開催内容がイベントの種別である場合には、例えば、交通機関利用情報に含まれる交通ターミナルの名称と交通ターミナル情報に含まれる交通ターミナル名称とが一致し、かつ、当該一致した交通ターミナルの情報を含む交通機関利用情報に含まれる改札機通過時の日時情報とイベント開催日時との差が一定期間内におさまっていて、さらに、イベントの種別をもとに所定の方法で推測した当該イベントへの来場集中時間帯が、改札機通過時の時間を含むような交通チケット所持者を抽出することによって実施される。
【００２１】
なお、前述の結果、抽出されるイベント開催日における特定時間帯にイベント会場の最寄り交通ターミナルを利用する見込みがある交通チケット所持者として、イベントへの参加者と、日常的にその交通ターミナルを利用している利用客とが抽出されることになる。
【００２２】
情報配信部１５は、情報入力部１３から入力された交通ターミナル情報に含まれる混雑判定用情報に基づいて、情報抽出部１４で抽出したイベント参加見込みがある交通チケット所持者、イベント開催日における特定時間帯にイベント会場の最寄り交通ターミナルを利用する見込みがある交通チケット所持者から混雑予測情報を配信する交通チケット所持者を選定し、さらに、選定した交通チケット所持者についての配信先情報を取得し、取得した配信先情報を配信先に指定して、イベント会場の最寄りの交通ターミナルの混雑予測情報を配信する。
【００２３】
具体的に説明すると、イベント会場の最寄りの交通ターミナルの混雑予測情報を配信する配信処理は、混雑判定用情報が当該交通ターミナルの一定時間における利用者最大数である場合、例えば、情報抽出部１４で抽出した前記イベントの参加見込みがある交通チケット所持者の数と前記イベントの開催日の特定時間帯に前記イベント会場の最寄りの交通ターミナルを利用する見込みがある交通チケット所持者の数との総和と、利用者最大数ととを比較して、前者の方が大きい場合に混雑が発生すると推測し、情報抽出部１４で抽出した前記イベントの参加見込みがある交通チケット所持者と前記イベントの開催日の特定時間帯に前記イベント会場の最寄りの交通ターミナルを利用する見込みがある交通チケット所持者との中から、比較時の差に相当する数の交通チケット所持者を所定の基準で選定し、選定した交通チケット所持者に対し情報配信する際の配信先を調べ、調べた配信先に対してイベント会場の最寄りの交通ターミナルの混雑予測情報を配信する。
【００２４】
前述したように、前記イベントの参加見込みがある交通チケット所持者の数と前記イベントの開催日の特定時間帯に前記イベント会場の最寄りの交通ターミナルを利用する見込みがある交通チケット所持者の数との総和と、交通ターミナルの利用者最大数とを比較して、比較時の差に相当する数の交通チケット所持者に混雑予測情報を配信することにより、それらの利用者が混雑する時間を避けて交通機関を利用することが予測できる、これにより、交通ターミナルの混雑が利用者最大数を超えることを防止することができる。この場合に、混雑予測情報を配信するユーザの選定は、例えば、日常的にその交通ターミナルを利用している利用客を除くことにより、それらのユーザになるべく迷惑を掛けないように行うことができ、あるいは、イベント参加により最寄りの交通ターミナルを利用するユーザを所定の基準により選択する等により行われる。
【００２５】
前述では、イベント会場の最寄りの交通ターミナルの利用可能性のある交通チケット所持者の総数と交通ターミナルの利用者最大数との差に相当する数の利用者に混雑予測情報を配信するとして説明したが、混雑予測情報を受け取った全てのユーザが混雑時間帯を避けてイベント会場の最寄りの交通ターミナルを利用するとは限らないことが予測される。このような場合に対処するためには、前述した差に相当する数の利用者数に所定の割合の数を加えたユーザを、混雑予測情報を配信するユーザとして選定するようにすればよい。
【００２６】
ＣＰＵ（中央処理装置）１６は、情報配信装置１全体の制御を行うものであり、プログラム（ソフトウェア）にしたがって、各種の処理を実行する。
【００２７】
図３は情報配信装置１の情報記憶部１２に記憶される記憶内容の例を説明する図であり、次に、これについて説明する。
【００２８】
情報記憶部１２に記憶される記憶内容は、図３に示しているように、チケット番号に対応させて、配信先情報、好きなスポーツ、所有定期券、乗降履歴の各情報を格納したものである。例えば、チケット番号が「１」と記された列には、「チケット番号１」の交通チケットを所有する交通チケット所持者に関する情報が格納され、図示例では、「ａａａ＠ｚｚｚ．ｃｏｍ」が配信先情報であり、好きなスポーツが「サッカー」で、所有定期券はなしで、「１１月１０日の１０時にＢ駅から乗車し、同１１時にＣ駅で下車した」ことを示している。この例における「好きなスポーツ」の項目は、イベント参加見込み判定用情報に相当するものであり、スポーツ以外に、好きな音楽、好きな芝居等そのチケットを所持するユーザの趣味等が格納される。このような情報は、ユーザかシステムに参加する場合に予め登録されるものである。
【００２９】
なお、各チケット番号に結び付けて記憶する情報は、図に示した情報のみに限定されるものではなく、チケットの購入情報として、イベント内容、イベント会場、開催日時等の情報が記憶されていてよい。このチケット購入情報は、図１に示すイベントチケット販売サーバ７から受領することができる。また、イベント開催の情報をイベント主催者等からネットワークを介して、あるいは、他の手段により取得して、その情報を格納しておき、この情報にチケットの購入情報をリンクさせるようにすることもできる。
【００３０】
図４は本発明の実施形態による情報配信装置の処理動作の概要を説明するフローチャートであり、次に、これについて説明する。
【００３１】
（１）まず、情報入力部１３からイベントの開催日時、開催内容を含むイベント情報、ターミナル名称、混雑判定用情報を含むイベント会場の最寄りの交通ターミナルに関する交通ターミナル情報の入力があったか否かを判定する（ステップＳ１００１）。
【００３２】
（２）ステップＳ１００１の判定で、イベント情報、交通ターミナル情報の入力があった場合、情報記憶部１２に記憶されたイベント参加見込み判定用情報と、イベント情報に含まれるイベント開催内容とによりイベント参加見込み者情報を抽出し、さらに、情報記憶部１２に記憶された交通機関利用情報と、イベント情報に含まれるイベント開催日時、開催内容と、交通ターミナル情報に含まれるターミナル名称とによりイベント会場の最寄り交通ターミナルの利用見込み者情報を抽出する（ステップＳ１００２）。
【００３３】
（３）そして抽出したイベント参加見込み者情報とイベント会場の最寄り交通ターミナル利用見込み者情報の中から交通混雑情報を配信する交通チケット所持者の情報を、交通ターミナル情報に含まれる混雑判定用情報に基づいて、すでに、前述で説明したようにして選定し、選定した情報から配信先情報を取得し、取得した配信先情報を配信先に指定して、イベント会場の最寄りの交通ターミナルの混雑予測情報を配信する。この配信情報には、混雑予測情報に加えて、混雑する時間帯をさけてターミナルを利用するように依頼する情報が付加されてよい（ステップＳ１００３、Ｓ１００４）。
【００３４】
前述した手順により、情報配信装置１は、イベント会場の最寄りの交通ターミナルの混雑予測情報を適切な配信先へ配信できるようになる。
【００３５】
本発明の実施形態は、さらに、前述によりイベント会場の最寄りの交通ターミナルの混雑予測情報を配信したユーザのイベント会場の最寄りの交通ターミナルの利用時間を改札機４からの出場情報から収集し、その結果により、混雑時間を避けてターミナルを利用したユーザを抽出し、それらのユーザに景品の受領が可能なポイントを与える等の何らかの特典を与えるようにすることができる。これにより、混雑予測情報を配信したユーザに、混雑時間帯を避けてターミナルを利用するようにしようという気持ちを起こさせることができる。
【００３６】
前述した本発明の実施形態における各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができる。
【００３７】
前述した本発明の実施形態によれば、イベント会場の最寄りの交通ターミナルの混雑予測に関する情報を適切な配信先に配信することができるようになる。これにより交通機関は、混雑が予測される時間帯を避けてイベント会場最寄り交通ターミナルを利用するように、イベント参加見込み者及びイベント会場最寄り交通ターミナル利用見込み者へ働きかけることが可能となり、大規模イベント開催時におけるイベント会場の最寄り交通ターミナルの混雑の抑制を図ることができる。
【００３８】
また、本発明の実施形態によれば、イベント参加見込み者及びイベント会場最寄り交通ターミナル利用見込み者は、事前にイベント会場の最寄り交通ターミナルの混雑予測を知ることができるので、混雑を避けてイベント会場の最寄り交通ターミナルを利用することが可能となる。
【図面の簡単な説明】
【００３９】
【図１】本発明の一実施形態による情報配信装置を含んだイベント会場の最寄りの交通ターミナルの混雑予測に関する情報を配信するシステムの構成の概要を示すブロック図である。
【図２】本発明の一実施形態による情報配信装置１の機能構成の例を示すブロック図である。
【図３】情報配信装置１の情報記憶部１２に記憶される記憶内容の例を説明する図である。
【図４】本発明の実施形態による情報配信装置の処理動作の概要を説明するフローチャートである。
【符号の説明】
【００４０】
１  情報配信装置
２  情報端末
３  交通チケット発券機
４  改札機
５、６  ネットワーク
７  イベントチケット販売サーバ
１１  情報受信部
１２  情報記憶部
１３  情報入力部
１４  情報抽出部
１５  情報配信部
１６  ＣＰＵ
【図１】
2005259034.tif 000003
【図２】
2005259034.tif 000004
【図３】
2005259034.tif 000005
【図４】
2005259034.tif 000006